(57)【要約】【課題】この発明は、外扉の商品展示窓部に、例えば雨水や水滴、雪、ゴミ等の異物が付着することを防止できる自動販売機用フロントカバーの提供を目的とする。【解決手段】フロントカバー１０１には、外扉１００ａの商品展示窓部１０８と対向して該商品展示窓部１０８に展示された商品見本１０６の目視が許容される透明な窓部１０１ａを形成している。フロントカバー１０１を外扉１００ａの正面が覆われるよう取付けた際、フロントカバー１０１の窓部１０１ａによって外扉１００ａの商品展示窓部１０８が覆われることになる。これにより、外扉１００ａとフロントカバー１０１との間に、例えば雨水や水滴、雪、ゴミ等の異物が外扉１００ａの正面側から入り込むことを防止できる。また、商品選択スイッチ１０７に誤動作や接触不良などが起きることも防止できる。【選択図】図３
2012243260.tif 000002
【特許請求の範囲】
【請求項１】
自動販売機の販売機本体に対して開閉可能に連結した外扉の正面に取付けられる自動販売機用フロントカバーであって、
前記フロントカバーの正面に、前記外扉の正面に設けられた商品展示窓部と対向して該商品展示窓部に展示された商品見本の目視が許容される透明な窓部を形成し、
前記窓部に、前記商品展示窓部に展示された商品見本と対応して該商品展示窓部の正面に配列された商品選択スイッチを押圧操作するための操作部を設けた
自動販売機用フロントカバー。
【請求項２】
前記操作部を、前記商品選択スイッチの押圧操作が許容される反転状態と、該商品選択スイッチの押圧が回避される復帰状態とに反転可能に設けた
請求項１に記載の自動販売機用フロントカバー。
【請求項３】
前記フロントカバーの背面側内周縁部と、該背面側内周縁部が被せられる前記外扉の背面側外周縁部との間に、該各周縁部の対向面間を水密状態にシールする合成ゴム製のシール部材を取付けた
請求項１又は２に記載の自動販売機用フロントカバー。
【発明の詳細な説明】
【技術分野】
【０００１】
この発明は、例えば飲料、煙草、菓子等の商品を販売する自動販売機の外扉を装飾する際に用いられる自動販売機用フロントカバーに関する。
【背景技術】
【０００２】
昨今、ジュースなどの飲料やタバコなどをはじめ様々な商品を手軽に購入できる自動販売機は、その利便性の高さから様々な場所に数多く設置されている。  
一方で自動販売機は、企業にとって外観に施した塗装や装飾で新商品などをアピールする広告としての役割もある。ところが、一旦、自動販売機が設置されると、外観に施した塗装などは、時間とともにデザイン的にも古くなり、さらに商品サイクルに合わせて変更することが容易ではなかった。  
そこで商品などの入替わりに伴い自由に変更することができ、インパクトのある装飾などができる着脱可能なフロントカバーが提案されている（特許文献１参照）。
【０００３】
しかし、引用文献１は、扉正面に設けられた商品展示窓部と対応して、該扉正面に被せられる扉カバーの表面に商品展示窓を開口しているが、扉カバーを、自動販売機の扉正面に取り付けた場合、例えば雨水や水滴、雪、ゴミ等の異物が扉カバーの商品展示窓から入り込みやすく、扉の商品展示窓部に配置された商品選択スイッチや扉正面に異物の付着した跡が残たり、異物が残着しやすいため、自動販売機が販売する商品の価値が低下する。
【先行技術文献】
【特許文献】
【０００４】
【特許文献１】特開２０１１−７０６７７号公報
【発明の概要】
【発明が解決しようとする課題】
【０００５】
この発明は、外扉の商品展示窓部に、例えば雨水や水滴、雪、ゴミ等の異物が付着することを防止できる自動販売機用フロントカバーを提供することを目的とする。
【課題を解決するための手段】
【０００６】
この発明は、自動販売機の販売機本体に対して開閉可能に連結した外扉の正面に取付けられる自動販売機用フロントカバーであって、前記フロントカバーの正面に、前記外扉の正面に設けられた商品展示窓部と対向して該商品展示窓部に展示された商品見本の目視が許容される透明な窓部を形成し、前記窓部に、前記商品展示窓部に展示された商品見本と対応して該商品展示窓部の正面に配列された商品選択スイッチを押圧操作するための操作部を設けた自動販売機用フロントカバーであることを特徴とする。
【０００７】
上述のフロントカバーの正面には、外扉の正面に設けられた商品展示窓部と対向して該商品展示窓部に展示された商品の目視が許容される透明な窓部を形成しているので、フロントカバーを外扉の正面が覆われるよう取付けた際、フロントカバーの窓部によって外扉の商品展示窓部が覆われることになる。
【０００８】
このため、外扉とフロントカバーとの間に、例えば雨水や水滴、雪、ゴミ等の異物が外扉の正面側から入り込みにくく、外扉の商品展示窓部に、異物が付着するか、異物の付着跡が残ってしまうことを防止できる。また、商品選択スイッチの内部に異物が侵入しにくくなるので、誤動作や接触不良などが起きることも防止できる。
【０００９】
これにより、外扉の商品展示窓部に展示された商品見本の目視が妨げられることがなく、フロントカバーの透明な窓部を介して、商品展示窓部に展示された商品見本を自動販売機の正面側から確実に目視確認することができる。  
この結果、購入する商品の選択が確実かつ正確に行え、商品の誤購入が起きることを防止できる。
【００１０】
この発明の態様として、前記操作部を、前記商品選択スイッチの押圧操作が許容される反転状態と、該商品選択スイッチの押圧が回避される復帰状態とに反転可能に設けることができる。  
上述の自動販売機が取り扱う商品を選択する場合、商品展示窓部に展示された商品見本を目視しながら、その商品見本と対応するフロントカバーの操作部を押圧し、操作部の反転によって商品選択スイッチを押圧操作する。  
この結果、商品選択スイッチに対して購入者の指を直接触れさせることなく、該商品選択スイッチを押圧操作することができる。
【００１１】
また、この発明の態様として、前記フロントカバーの背面側内周縁部と、該背面側内周縁部が被せられる前記外扉の背面側外周縁部との間に、該各周縁部の対向面間を水密状態にシールする合成ゴム製のシール部材を取付けることができる。  
上述のフロントカバーを外扉の正面が覆われるように取付けた際、フロントカバーの背面側内周縁部と外扉の背面側外周縁部との対向面に対しシール部材が密着されるので、水密状態にシールすることができる。
【００１２】
これにより、外扉とフロントカバーとの間に、例えば雨水や水滴、雪、ゴミ等の異物が外扉の正面及び周囲から浸入することを防止できる。また、外扉や商品展示窓部の正面に、異物が付着するか、異物の付着跡が残ってしまうことを防止できる。  
この結果、商品展示窓部の正面を、該商品展示窓部に展示された商品見本の目視が許容される綺麗な状態を保つことができる。
【発明の効果】
【００１３】
この発明によれば、自動販売機の外扉や商品展示窓部の正面に、例えば雨水や水滴、雪、ゴミ等の異物が付着するか、異物の付着跡が残ってしまうことを防止できる。また、商品展示窓部に展示された商品見本を目視しながら、所望する商品を自動販売機の正面側から確実に選択することができる。
【図面の簡単な説明】
【００１４】
【図１】フロントカバーを自動販売機の外扉に取付ける方法の斜視図。
【図２】外扉に取付けたフロントカバーの縦断側面図。
【図３】図２に示すａ部の拡大縦断側面図。
【図４】レンズ部を窓部正面に設けた他の例のフロントカバーの斜視図。
【図５】電飾を窓部正面に設けたその他の例のフロントカバーの斜視図。
【発明を実施するための形態】
【００１５】
この発明の一実施形態を以下図面に基づいて詳述する。  
図１はフロントカバー１０１を自動販売機１００の外扉１００ａに取付ける方法の斜視図、図２は外扉１００ａに取付けたフロントカバー１０１の縦断側面図、図３は図２に示すａ部の拡大縦断側面図である。
【００１６】
図１に示すように、フロントカバー１０１は、自動販売機１００における販売機本体１００ｂの正面側開口部に対して左右開閉自在に連結した外扉１００ａの正面に取付けられる。
【００１７】
自動販売機１００は、図１に示すように、例えば缶型、瓶型、ボトル型、箱型、袋型等の商品を販売するものであり、略箱形状で内部に飲料などの商品が収納されている正面側が開口された販売機本体１００ｂと、販売機本体１００ｂの正面と同じ大きさで正面側開口部を開閉する外扉１００ａとを備えている。また、外扉１００ａは、販売機本体１００ｂの幅方向一端側に対しヒンジ（図示せず）を介し左右開閉自在に連結している。
【００１８】
外扉１００ａの上部正面には、自動販売機１００が取り扱う商品に酷似した商品見本１０６を展示するための商品展示窓部１０８を設けている。また、商品展示窓部１０８の正面には、該商品展示窓部１０８に展示された商品見本１０６と対応して、自動販売機１００が取り扱う商品を選択するための複数の商品選択スイッチ１０７を上下に配列している。
【００１９】
また、外扉１００ａの下部正面には、商品展示窓部１０８の下方に紙幣や硬貨を投入する貨幣投入口１０９と、外扉１００ａの開閉を施錠する施錠部１１０と、その下に購入した商品を取り出す商品取出口１１１と、お釣りの硬貨を受取る硬貨返却口１１２とを設けている。
【００２０】
フロントカバー１０１は、アクリルなどの樹脂部材により略長方形に形成され、外扉１００ａの正面全体が覆われる大きさ及び形状に形成している。また、フロントカバー１０１の正面には、外扉１００ａの商品展示窓部１０８と、貨幣投入口１０９と、施錠部１１０と、商品取出口１１１と、硬貨返却口１１２に対応する位置に開口を設けている。
【００２１】
また、フロントカバー１０１の上部正面には、外扉１００ａの上部正面に設けられた商品展示窓部１０８と対向して、該商品展示窓部１０８に展示された商品見本１０６の目視が許容される透明な窓部１０１ａを形成している。
【００２２】
窓部１０１ａは、アクリルなどの樹脂部材により外扉１００ａの商品展示窓部１０８と対応する大きさ及び形状に形成しているので、商品展示窓部１０８に展示された全商品見本１０６を自動販売機１００の正面側から確実に目視確認することができる。
【００２３】
また、窓部１０１ａの正面には、商品展示窓部１０８に展示された商品見本１０６と対応して、該商品展示窓部１０８の正面に配列された商品選択スイッチ１０７を押圧操作するための操作部１０１ｂを上下に配列している。
【００２４】
操作部１０１ｂは、図３の仮想線で示す商品選択スイッチ１０７の押圧操作が許容される反転状態と、同図中の実線で示す商品選択スイッチ１０７の押圧が回避される復帰状態とに反転可能な肉厚に形成している。また、購入者の指先が押し付けられる操作面を滑らかな凸状の曲面に形成している。
【００２５】
さらに、操作部１０１ｂは、購入者の指による押圧操作を解除すると実線で示す商品選択スイッチ１０７の押圧操作が回避される復帰状態に復帰する。また、購入者の指によって押圧操作した際、操作部１０１ｂの復元力に抗して、商品選択スイッチ１０７に対して購入者の指を直接触れさせることなく該商品選択スイッチ１０７の押圧操作が許容される反転状態に反転する。
【００２６】
フロントカバー１０１の背面側内周縁部は、外扉１００ａの背面側外周縁部に対して被せられる大きさ及び形状に形成され、該フロントカバー１０１を、外扉１００ａの正面に対して該外扉１００ａの正面全体が覆われるように被せた後、フロントカバー１０１の背面側内周縁部が、外扉１００ａの背面側外周縁部に対してネジあるいはボルトなどの固定手段で固定される。
【００２７】
また、フロントカバー１０１の背面側内周縁部には、該背面側内周縁部が被せられる外扉１００ａの背面側外周縁部、すなわち、外扉１００ａの上面及び左面及び右面と対向して合成ゴム製のシール部材１０１ｃを取付けている。  
つまり、シール部材１０１ｃは、フロントカバー１０１の背面側内周縁部を外扉１００ａの背面側外周縁部に被せた際、外扉１００ａの上面及び左面及び右面に対して水密状態に密着される。
【００２８】
次に、図１、図２を用いて、フロントカバー１０１を自動販売機１００の外扉１００ａに取付ける方法について説明する。  
先ず、フロントカバー１０１の窓部１０１ａを外扉１００ａの商品展示窓部１０８と対向させ、かつ、窓部１０１ａに配列した操作部１０１ｂを商品展示窓部１０８に配列した商品選択スイッチ１０７と対向させて、フロントカバー１０１を、外扉１００ａの正面に対して該外扉１００ａの正面全体が覆われるように被せた後（図３参照）、フロントカバー１０１の背面側内周縁部を、外扉１００ａの背面側外周縁部に対してネジあるいはボルトなどの固定手段で固定する。
【００２９】
すなわち、フロントカバー１０１の正面には、外扉１００ａの正面に設けられた商品展示窓部１０８と対向して該商品展示窓部１０８に展示された商品見本１０６の目視が許容される透明な窓部１０１ａを形成しているので、フロントカバー１０１を、外扉１００ａの正面が覆われるよう取付けた際、フロントカバー１０１の窓部１０１ａによって外扉１００ａの商品展示窓部１０８が覆われることになる。
【００３０】
これにより、外扉１００ａとフロントカバー１０１との間に、例えば雨水や水滴、雪、ゴミ等の異物が外扉１００ａの正面側から入り込みにくく、商品展示窓部１０８の正面に、異物が付着するか、異物の付着跡が残ってしまうことを防止できる。また、商品選択スイッチ１０７の内部に異物が侵入しにくくなるので、誤動作や接触不良などが起きることも防止できる。
【００３１】
また、フロントカバー１０１の窓部１０１ａが透明であるため、外扉１００ａの商品展示窓部１０８に展示された商品見本１０６の目視が妨げられることがなく、フロントカバー１０１の窓部１０１ａを介して、商品展示窓部１０８に展示された商品見本１０６を自動販売機１００の正面側から確実に目視確認することができる。  
この結果、商品展示窓部１０８に展示された商品見本１０６を目視しながら、その商品見本１０６と対応するフロントカバー１０１の操作部１０１ｂの指により押圧操作（図３参照）し、操作部１０１ｂの反転によって商品選択スイッチ１０７を押圧操作するので、購入する商品の選択が確実かつ正確に行え、商品の誤購入が起きることを防止できる。
【００３２】
さらに、フロントカバー１０１を外扉１００ａの正面が覆われるように取付けるとともに、該フロントカバー１０１の背面側内周縁部を外扉１００ａの背面側外周縁部に被せた際、フロントカバー１０１の背面側内周縁部に取付けたシール部材１０１ｃが外扉１００ａの背面側外周縁部、すなわち、外扉１００ａの上面及び左面及び右面に密着されるので、水密状態にシールすることができる。
【００３３】
これにより、外扉１００ａとフロントカバー１０１との間に、例えば雨水や水滴、雪、ゴミ等の異物が外扉１００ａの周囲から浸入することを防止できる。また、外扉１００ａや商品展示窓部１０８の正面に、異物が付着するか、異物の付着跡が残ってしまうことを防止できる。  
この結果、商品展示窓部１０８の正面を、該商品展示窓部１０８に展示された商品見本１０６の目視が許容される綺麗な状態を保つことができる。
【００３４】
次に、図４を用いて、フロントカバー１０１の窓部１０１ａに、商品展示窓部１０８に展示された商品見本１０６と対応してレンズ部１０１ｄ，１０１ｅを設けた他の例を説明する。図４の（ａ，ｂ）はレンズ部１０１ｄ，１０１ｅを窓部１０１ａに設けたフロントカバー１０１の斜視図である。
【００３５】
図４の（ａ）に示すフロントカバー１０１の窓部１０１ａ正面には、商品展示窓部１０８に展示された下段側の商品見本１０６と対応して、ドット状のレンズからなる複数のレンズ部１０１ｄを形成している。
【００３６】
また、図４の（ｂ）に示すフロントカバー１０１の窓部１０１ａ正面には、商品展示窓部１０８に展示された下段側の商品見本１０６と対応して、凸面形状のレンズからなる複数のレンズ部１０１ｅを形成している。  
さらに、レンズ部１０１ｄ，１０１ｅの下側正面には、該レンズ部１０１ｄ，１０１ｅと対応して複数の操作部１０１ｂを配列している。
【００３７】
つまり、図４の（ａ）又は（ｂ）に示すフロントカバー１０１を、自動販売機１００の外扉１００ａに取付ける際、フロントカバー１０１のレンズ部１０１ｄ，１０１ｅを外扉１００ａの商品展示窓部１０８と対向させて、ロントカバー１０１を、外扉１００ａの正面に対して該外扉１００ａの正面全体が覆われるように取付ける。
【００３８】
これにより、自動販売機１００の正面側から商品展示窓部１０８に展示された下段側の商品見本１０６を目視した際、（ａ）のレンズ部１０１ｄ又は（ｂ）のレンズ部１０１ｅによって商品見本１０６が立体的に拡大されるので、自動販売機１００が販売する特定の商品の販売促進、宣伝広告、注目度等の訴求力を高めることができる。
【００３９】
また、フロントカバー１０１の窓部１０１ａによって自動販売機１００の商品展示窓部１０８を覆っているので、商品見本１０６と対応する商品展示窓部１０８の正面に異物が付着しにくく、レンズ部１０１ｄ，１０１ｅによる商品見本１０６を拡大する効果が安定して得られる。  
なお、レンズ部１０１ｄ，１０１ｅを、商品展示窓部１０８に展示された上段側の商品見本１０６と対応して形成してもよい。
【００４０】
次に、図５を用いて、フロントカバー１０１の窓部１０１ａ及び各部１０８〜１１２と対応する開口の周囲にＬＥＤ発光素子からなる電飾１２０を配置した他の例を説明する。図５は電飾１２０を窓部１０１ａ正面に設けたフロントカバー１０１の斜視図である。
【００４１】
上述の電飾１２０は、消費電力が少ないＬＥＤ発光素子で構成され、窓部１０１ａ及び各部１０８〜１１２と対応する開口の周囲に等間隔を隔てて複数配列している。さらに、窓部１０１ａ下方の正面にも上下逆三角形などの所望する形状に配置している。  
また、電飾１２０は、フロントカバー１０１の背面側に取付けた図示しない電源から供給される電力にて発光するとともに、図示しない制御回路に格納されたプログラムに沿って点灯・点滅を制御している。
【００４２】
つまり、自動販売機１００の図示しない主電源をＯＮ操作して、窓部１０１ａ及び各部１０８〜１１２の周囲に配置した電飾１２０を点灯・点滅した際、自動販売機１００の正面側に向けて電飾１２０から投光される光が放射状に照射される。
【００４３】
これにより、自動販売機１００に近づく人や商品を購入しようとする人、或いは、遠方にいる人の注目を引くことができ、自動販売機１００自体の注目度を高めることができるとともに、商品の販売促進、宣伝広告、注目度等の訴求力を高める効果も得られる。  
また、フロントカバー１０１の窓部１０１ａによって自動販売機１００の商品展示窓部１０８を覆っているので、電飾１２０に異物が付着しにくく、誤動作や接触不良などが起きることを防止できる。  
なお、電飾１２０は、例えば蛍光灯、白熱灯等で構成してもよい。また、電源や制御回路は、販売機本体１００ｂの内部に備えてもよい。
【００４４】
この発明の構成と、前記実施形態との対応において、  
この発明のフロントカバーの窓部は、実施形態の窓部１０１ａに対応し、  
以下同様に、  
操作部は、操作部１０１ｂに対応するも、  
この発明は、上述の実施形態の構成のみに限定されるものではなく、請求項に示される技術思想に基づいて応用することができ、多くの実施の形態を得ることができる。
【００４５】
なお、本実施形態ではネジやボルトなどの固定手段を用いて、フロントカバー１０１を外扉１００ａの正面に固定する例を説明したが、例えば両面粘着テープ、マグネット、あるいは、専用の取付け金具等を用いて固定してもよく、実施形態の固定手段のみに限定されるものではない。
【符号の説明】
【００４６】
１００…自動販売機
１００ａ…外扉
１００ｂ…販売機本体
１０１…フロントカバー
１０１ａ…窓部
１０１ｂ…操作部
１０１ｃ…シール部材
１０１ｄ，１０１ｅ…レンズ部
１０６…商品見本
１０７…商品選択スイッチ
１０８…商品展示窓部
１０９…貨幣投入口
１１０…施錠部
１１１…商品取出口
１１２…硬貨返却口
１２０…電飾
【図１】
2012243260.tif 000003
【図２】
2012243260.tif 000004
【図３】
2012243260.tif 000005
【図４】
2012243260.tif 000006
【図５】
2012243260.tif 000007